(57)【要約】【課題】コネクタハウジングへのインサート成形に起因するフェライト・プレートの変形を防止して、透磁率低下による多重通信用ジョイントコネクタの特性劣化を抑制し、伝送される波形ひずみを改善することができる多重通信用ジョイントコネクタを提供する。【解決手段】複数の相手方コネクタとそれぞれ嵌合するための複数のコネクタ嵌合部２２が形成されたコネクタハウジング２１と、コネクタ嵌合部２２内に突出するようにコネクタハウジング２１に配置され、且つ相手方コネクタがコネクタ嵌合部２２に嵌合した際に該相手方コネクタの相手方端子に接触して電気的に接続する端子２７と、端子２７によって貫通されるようにコネクタハウジング２１内に配置されたフェライト・プレート２３と、端子２７によって貫通されたフェライト・プレート２３を覆うようにコネクタハウジング２１内に配置された弾性部材３０と、を備える。【選択図】図１
2011253642.tif 000002
【特許請求の範囲】
【請求項１】
複数の相手方コネクタとそれぞれ嵌合するための複数のコネクタ嵌合部が形成されたコネクタハウジングと、
前記コネクタ嵌合部内に突出するように前記コネクタハウジングに配置され、且つ前記相手方コネクタが前記コネクタ嵌合部に嵌合した際に該相手方コネクタの相手方端子に接触して電気的に接続する端子と、
前記端子によって貫通されるように前記コネクタハウジング内に配置されたフェライト・プレートと、
前記端子によって貫通された前記フェライト・プレートを覆うように前記コネクタハウジング内に配置された弾性部材と、
を備えることを特徴とする多重通信用ジョイントコネクタ。
【請求項２】
前記弾性部材は、前記フェライト・プレートをモールド成形することによって形成される、
ことを特徴とする請求項１に記載の多重通信用ジョイントコネクタ。
【請求項３】
前記コネクタハウジングは、前記フェライト・プレートが前記弾性部材によってモールド成形されたものをインサート成形することによって形成される、
ことを特徴とする請求項２に記載の多重通信用ジョイントコネクタ。
【発明の詳細な説明】
【技術分野】
【０００１】
本発明は、複数の相手方コネクタと嵌合可能な多重通信用ジョイントコネクタに関する。
【背景技術】
【０００２】
車両などにおいては、ＣＡＮ（Control Area Network）通信によって複数の電装品を制御するため、多重通信用ジョイントコネクタを用いた接続が行われている。このような信号伝達用のコネクタには、ノイズの輻射や信号伝送に及ぼす悪影響を軽減するため、信号に重畳されるノイズを除去する機能が要求される。従来、ノイズ除去機能を有するコネクタとしては、フェライト磁心とチップコンデンサによって構成されるローパスフィルタ回路をコネクタに内蔵させたローパスフィルタ内蔵コネクタが開示されている（例えば、特許文献１参照。）。
【０００３】
また、コネクタハウジングと、金属板によって一体成形されたジョイント回路としての連鎖バスバーと、第１および第２の抵抗およびコンデンサを有する終端抵抗回路と、から構成された多重通信用ジョイントコネクタも知られている（例えば、特許文献２参照。）。
【先行技術文献】
【特許文献】
【０００４】
【特許文献１】特開平７−７８６５８号公報
【特許文献２】特開２００３−１２３９１８号公報
【発明の概要】
【発明が解決しようとする課題】
【０００５】
図５に示す従来の多重通信用ジョイントコネクタ１０は、複数のコネクタ嵌合部２を有する合成樹脂製のコネクタハウジング１と、複数の貫通孔４が設けられて長方形板状に形成されたフェライト・プレート３と、バスバー６とピン状の端子７とが金属板によって一体成形された接続部５と、を備える。ローパスフィルタとして機能するフェライト・プレート３は、コネクタハウジング１と一体にインサート成形されており、このフェライト・プレート３の貫通孔４に接続部５の端子７が挿通されてコネクタ嵌合部２に配置されている。この構成により、上下左右に隣り合う端子７の間にはフェライト・プレート３の一部が位置することになる。
【０００６】
しかし、フェライト・プレート３をコネクタハウジング１にインサート成形すると、成形後の合成樹脂の収縮によって板状のフェライト・プレート３に曲げ応力が作用し、図６に示すように、反りなどの変形が生じる場合がある。このように変形するほどの応力がフェライト・プレート３に作用すると、ビラリ効果（Villari effect）として一般に知られている逆磁歪現象によって、フェライト・プレート３の透磁率が低下する。このため、フェライト・プレート３は、ローパスフィルタとして十分なインピーダンス特性が得られなくなって、伝送される波形ひずみの改善が不十分となる問題があった。また、このビラリ効果を考慮して十分な特性が得られるようにフェライト・プレート３を大きくすることは、多重通信用ジョイントコネクタ１０のコストアップ要因となり、好ましくない。
【０００７】
本発明は、上述した事情に鑑みてなされたものであり、その目的は、コネクタハウジングへのインサート成形に起因するフェライト・プレートの変形を防止して、透磁率低下による多重通信用ジョイントコネクタの特性劣化を抑制し、伝送される波形ひずみを改善することができる多重通信用ジョイントコネクタを提供することにある。
【課題を解決するための手段】
【０００８】
前述した目的を達成するために、本発明に係る多重通信用ジョイントコネクタは、下記（１）〜（３）を特徴としている。
（１）  複数の相手方コネクタとそれぞれ嵌合するための複数のコネクタ嵌合部が形成されたコネクタハウジングと、
前記コネクタ嵌合部内に突出するように前記コネクタハウジングに配置され、且つ前記相手方コネクタが前記コネクタ嵌合部に嵌合した際に該相手方コネクタの相手方端子に接触して電気的に接続する端子と、
前記端子によって貫通されるように前記コネクタハウジング内に配置されたフェライト・プレートと、
前記端子によって貫通された前記フェライト・プレートを覆うように前記コネクタハウジング内に配置された弾性部材と、
を備えることを特徴とする多重通信用ジョイントコネクタ。
（２）  上記（１）の構成の多重通信用ジョイントコネクタであって、
前記弾性部材は、前記フェライト・プレートをモールド成形することによって形成される、
こと。
（３）  上記（２）の構成の多重通信用ジョイントコネクタであって、
前記コネクタハウジングは、前記フェライト・プレートが前記弾性部材によってモールド成形されたものをインサート成形することによって形成される、
こと。
【０００９】
上記（１）〜（３）の構成の多重通信用ジョイントコネクタによれば、フェライト・プレートが弾性部材によって覆われた状態でコネクタハウジングに配置されているので、コネクタハウジングの樹脂が収縮しても、そのコネクタハウジングの樹脂収縮に伴う外力が弾性部材に作用し、弾性部材が変形する。このため、フェライト・プレートに作用する応力は小さく、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
【発明の効果】
【００１０】
本発明の多重通信用ジョイントコネクタによれば、フェライト・プレートが弾性部材に覆われた状態でコネクタハウジングに配置されるので、コネクタハウジングの樹脂が収縮しても、変形するのは主に弾性部材であるため、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】本発明の実施形態に係る多重通信用ジョイントコネクタの分解斜視図である。
【図２】本発明の実施形態に係る多重通信用ジョイントコネクタの、フェライト・プレートおよび弾性部材の断面図であり、（ａ）はその縦断面図、（ｂ）は（ａ）のＩＩｂ−ＩＩｂ線の矢視断面図である。
【図３】多重通信用ジョイントコネクタの特性（インピーダンス）の測定位置を示す平面図である。
【図４】本発明の実施形態に係る多重通信用ジョイントコネクタの特性の改善率を従来の多重通信用ジョイントコネクタと比較して示すグラフである。
【図５】従来の多重通信用ジョイントコネクタの分解斜視図である。
【図６】図５に示すインサート成形されたフェライト・プレートの変形状態を示す側面図である。
【発明を実施するための形態】
【００１３】
以下、本発明に係る多重通信用ジョイントコネクタの実施形態を図面に基づいて詳細に説明する。
図１は、本発明の実施形態に係る多重通信用ジョイントコネクタの分解斜視図である。図２は、本発明の実施形態に係る多重通信用ジョイントコネクタの、フェライト・プレートおよび弾性部材の断面図であり、（ａ）はその縦断面図、（ｂ）は（ａ）のＩＩｂ−ＩＩｂ線の矢視断面図である。図３は、多重通信用ジョイントコネクタの特性（インピーダンス）の測定位置を示す平面図である。図４は、本発明の実施形態に係る多重通信用ジョイントコネクタの特性の改善率を従来の多重通信用ジョイントコネクタと比較して示すグラフである。
【００１４】
図１及び図２に示すように、本実施形態の多重通信用ジョイントコネクタ１００は、複数の相手方コネクタ（図示せず）とそれぞれ嵌合するための複数のコネクタ嵌合部２２（図１では８個）を有する合成樹脂製のコネクタハウジング２１と、１対の貫通孔２４が設けられて略矩形板状のフェライト・プレート２３と、コネクタ嵌合部２２内に突出するようにコネクタハウジング２１に配置され、且つ相手方コネクタがコネクタ嵌合部２２に嵌合した際に該相手方コネクタの相手方端子に接触して電気的に接続する１対の接続部２５と、を備える。
【００１５】
接続部２５は、ピン状に形成された複数の端子２７（図１では各列につき８本）と、この複数の端子２７を一端において接続するバスバー２６（図１では２本）とを有している。左右方向に隣り合う一対の端子２７は、フェライト・プレート２３の貫通孔２４に挿通されてコネクタ嵌合部２２内に突出するように、一つのコネクタ嵌合部２２内に配置される。各コネクタ嵌合部２２内に配置される一対の端子２７には、多重通信を実現する伝送方式に則った信号が伝送される。
【００１６】
より具体的な事例を以ってフェライト・プレート２３の機能を説明する。多重通信用ジョイントコネクタがＣＡＮに利用される場合であって、一対の端子２７に差動信号が入力される伝送路では、一対の端子２７の一方に接続されるＨ側信号ラインと一対の端子２７の他方に接続されるＬ側信号ラインの間のインピーダンスのバランスを保つこと（Ｈ側信号ラインのインピーダンス特性≒Ｌ側信号ラインのインピーダンス特性）が必須である。このため、Ｈ側信号ラインとＬ側信号ラインの間に位置するフェライト・プレート２３が、Ｈ側信号ラインとＬ側信号ラインの間のインピーダンスのバランスを保つこともまた必須である。
【００１７】
例えば、一対の端子２７のそれぞれに、端子２７を内部に挿通させるフェライト材を別々に装着するように多重通信用ジョイントコネクタを構成した場合、各端子２７に装着された個々のフェライト材のインピーダンス特性にばらつきが生じる結果、Ｈ側信号ラインとＬ側信号ラインの間のインピーダンスのバランスが保たれないことが懸念される。Ｈ側信号ラインとＬ側信号ラインの間のインピーダンスのバランスが保たれていない場合、Ｈ側信号ラインとＬ側信号ラインに誘導される同相モード（コモンモード）のノイズ成分が、差動成分として働き、その結果、このような差動成分がｂｉｔエラーの要因となってしまう。
【００１８】
一方、図１に示すフェライト・プレート２３によれば、一対の端子２７の間にインピーダンス特性が均一のフェライト・プレート２３が位置するため、Ｈ側信号ラインとＬ側信号ラインの間のインピーダンスのバランスが保たれる。この結果、多重通信用ジョイントコネクタを介して伝送される波形ひずみを改善することができる。
【００１９】
フェライト・プレート２３は、略矩形板状であり、１対の貫通孔２４が縦方向に８組設けられている。それぞれの貫通孔２４は端子２７によって貫通される。また、フェライト・プレート２３は、貫通孔２４の開口を除くその表面が弾性部材３０によって覆われている。フェライト・プレート２３を弾性部材３０によって覆う際には、高い弾性を持つ材料（例えばエラストマー材）によってフェライト・プレート２３をモールド成形することによって形成する。尚、フェライト・プレート２３の貫通孔２４が弾性部材３０によって覆われていない（言い換えれば、弾性部材３０には、貫通孔２４に向かい合う箇所に孔３１が形成されている。）理由は、一対の端子２７を貫通孔２４に挿通させるためである。弾性部材３０によってモールド成形されたフェライト・プレート２３をインサート成形して、コネクタハウジング２１を形成することになる。なお、本発明は、フェライト・プレート２３がコネクタハウジング２１にインサート成形される構成に限定されるものではなく、弾性部材３０によってモールド成形されたフェライト・プレート２３がコネクタハウジング内に配置される構成であればよい。例えば、予め成形しておいたコネクタハウジング２１に、弾性部材３０によってモールド成形されたフェライト・プレート２３を取り付ける構成であってもよい。
【００２０】
弾性部材３０は、高い弾性を持つ材料（例えばエラストマー材）によってフェライト・プレート２３をモールド成形することによって形成される。フェライト・プレート２３をインサート成形して、コネクタハウジング２１を形成した際には、弾性部材３０は、その表面がコネクタハウジング２１に面する。このため、成形後のコネクタハウジング２１に樹脂収縮が生じた場合、まず、弾性部材３０に、そのコネクタハウジング２１の樹脂収縮に伴う外力が作用する。弾性部材３０がフェライト・プレート２３よりも剛性が小さければ、弾性部材３０がそのコネクタハウジング２１の樹脂収縮によってより大きく変形する。なお、本発明は、フェライト・プレート２３をモールド成形することによって弾性部材３０が成形される構成に限定されるものではなく、弾性部材３０がフェライト・プレート２３の外側面に位置する構成であればよい。例えば、予め成形しておいたカバー状の弾性部材３０に、弾性部材３０の伸縮性を利用して、フェライト・プレート２３をその弾性部材３０の内部に押し込む構成であってもよい。
【００２１】
合成樹脂によって成形されたコネクタハウジング２１は、成形後に樹脂収縮が生じる。しかし、フェライト・プレート２３は、図２に示すように、弾性部材３０によって覆われた状態でコネクタハウジング２１にインサート成形されているので、そのコネクタハウジング２１の樹脂収縮に伴う外力が弾性部材３０に作用し、弾性部材３０がそのコネクタハウジング２１の樹脂収縮によってより大きく変形する。このため、フェライト・プレート２３の変形は抑制される。従って、逆磁歪現象によるフェライト・プレート２３の透磁率の低下が防止され、フェライト・プレート２３のローパスフィルタ機能が良好に維持されて、多重通信用ジョイントコネクタ１００を介して伝送される波形ひずみを改善することができる。
【００２２】
図４に、弾性部材によって表面が覆われていないフェライト・プレートを備える従来の多重通信用ジョイントコネクタ１０（図５参照）と、弾性部材によって表面が覆われたフェライト・プレートを備える本発明の多重通信用ジョイントコネクタ１００との特性を比較して示す。
【００２３】
図３に示すように、フェライト・プレートの所定の４箇所（点線で囲まれる１〜４の領域。該領域は、４個の貫通孔２４を含む。）の測定位置にインピーダンス測定器４０を接続し、コネクタハウジング１、２１にインサート成形される前のフェライト・プレート３、２３のインピーダンスと、インサート成形後のフェライト・プレート３、２３（多重通信用ジョイントコネクタ１０、１００）のインピーダンスと、を測定し、インサート成形前後（インサート成形前のインピーダンスを１００％とする）におけるインピーダンスを求めた。
【００２４】
本発明の多重通信用ジョイントコネクタ１００による特性の改善率を示したものが図４である。図４では、従来の多重通信用ジョイントコネクタ（弾性部材によって表面が覆われていないフェライト・プレートを備えるもの）によるインサート成形後のインピーダンスを「１」とした場合の、本発明の多重通信用ジョイントコネクタ（弾性部材によって表面が覆われたフェライト・プレートを備えるもの。）によるインサート成形後のインピーダンスの数値を「改善率」として縦軸に表している。また、測定点を横軸に表している。図４に示すように、いずれの測定点においても、インピーダンス特性が改善されていることがわかる。
【００２５】
したがって、本発明の多重通信用ジョイントコネクタによれば、フェライト・プレートが弾性部材によって覆われた状態でコネクタハウジングに配置されるので、コネクタハウジングの樹脂が収縮しても、各フェライト・プレートに作用する応力は小さく、フェライト・プレートの変形を大幅に抑制することができる。これによって、フェライト・プレートの変形に起因する特性劣化（透磁率低下）を小さくすることができ、ローパスフィルタ機能を良好に維持して、多重通信用ジョイントコネクタを介して伝送される波形ひずみを改善することができる。
【００２６】
尚、本発明は、前述した各実施形態に限定されるものではなく、適宜、変形、改良、等が可能である。
【符号の説明】
【００２７】
２１  コネクタハウジング
２２  コネクタ嵌合部
２３  フェライト・プレート
２４  貫通孔
２５  接続部
２６  バスバー
２７  端子
３０  弾性部材
３１  孔
１００  多重通信用ジョイントコネクタ
【図１】
2011253642.tif 000003
【図２】
2011253642.tif 000004
【図３】
2011253642.tif 000005
【図４】
2011253642.tif 000006
【図５】
2011253642.tif 000007
【図６】
2011253642.tif 000008